(57)【特許請求の範囲】
【請求項１】
（ａ）床面に埋設され、上面にスリットが形成されたケーシングと、
（ｂ）前記ケーシング内部に収納され、該ケーシング内部の一端に揺動自在に連結されたアームと、
（ｃ）下面が前記アームの自由端の上面に当接し、かつ前記ケーシング内部の他端に揺動自在に連結された緩衝体と、
（ｄ）磁性体からなり、前記アームの上面に固定されたプレートと、
（ｅ）前記ドアの下部に固定された磁石とからなり、
前記緩衝体の上部が、略くさび形状を呈し、当該くさび状の上部が、前記緩衝体が前記ケーシング内部に収納されているときに前記ケーシング上面とほぼ同一平面になるフタ面、および前記緩衝体が前記ケーシング内部から前記スリットを通して外部へ突出したときに前記ドアまたは磁石に接触しうる接触面を有しており、
前記プレートがほぼ水平位置にあるとき、前記緩衝体の接触面が水平面から９０°未満傾いた位置にある戸当り。
【請求項２】
前記ケーシング内部の深さが５〜１２ｍｍである請求項１記載の戸当り。
【請求項３】
前記アームおよび緩衝体の少なくとも一部が、金属で作製されてなる請求項１または２記載の戸当り。
【請求項４】
前記緩衝体および前記ケーシング内部の他端において、それぞれ接触面が形成されてなる請求項１、２または３記載の戸当り。
【請求項５】
前記緩衝体の下面において、前記アームの自由端が挿入される溝が形成されてなる請求項１、２、３または４記載の戸当り。
【請求項６】
前記磁石が、下方に開放する凹部が形成されたケースと、当該ケースの内部に収納された磁石本体とからなる請求項１、２、３、４または５記載の戸当り。
【請求項７】
前記磁石本体が、合成樹脂製のカバーで覆われてなる請求項６記載の戸当り。
【請求項８】
前記磁石本体が、少なくとも一部が外部へ出没し得るように前記ケースの凹部に収納され、
前記ケースの凹部の内面に磁性体からなるストッパが設けられ、
前記磁石本体が前記ストッパに引かれる力よりも、前記磁石本体が前記プレートに引かれる力のほうが強い請求項６または７記載の戸当り。
【発明の詳細な説明】
【０００１】
【発明の属する技術分野】
本発明は戸当りに関する。さらに詳しくは、床の表面下に埋設されており、使用に際し、床面上に緩衝体を突出させることができ、しかも浅い床下空間でも設置可能な戸当りに関する。
【０００２】
【従来の技術】
従来より、図１２〜１３に示すように、ドア５０の開閉によりドア５０またはノブ５１が壁またはドア５０周辺の家具やキャビネット５２などに衝突し、これらに損傷が生じるのを防ぐために戸当り５３がドア５０の付近の床５４に設けられている。
【０００３】
かかる戸当り５３としては、床５４に立設される雄ねじ（図示せず）に螺着される基部５５と、該基部５５の上部に固着される緩衝体５６とからなるものがある。
【０００４】
また、ドア５０を開放状態にしておくために、前記基部５５内に差し込まれているＵ字状の止め金具５７を引き抜き、ドア５０の側面に設けられた鉤付き座金５８の鉤部５９に係止するようにしている。
【０００５】
【発明が解決しようとする課題】
しかしながら、前記戸当り５３では、常時床５４に立設されているため、前記ドア５０が戸当り５３に固定されていないばあい、歩行中誤って戸当り５３に蹴つまづいてしまう惧れがある。
【０００６】
また、運搬物、たとえばキャビネット５２を移動させる際に、邪魔になるし、誤ってキャビネット５２が戸当り５３に衝突すると、キャビネット５２がへこんだり、戸当り５３が変形する惧れがある。さらに、床掃除をする際に邪魔になっていた。
【０００７】
さらに、従来の戸当り５３は、常時床５４に立設されているため、床５４の上に異物が突出しているように見え、美観上好ましくない。
【０００８】
一方、床から出没自在の戸当りも種々検討されているが、マンションなどの高層住宅などにおいては、床仕上面と各階を仕切るコンクリートスラブ上面とのあいだの床下空間は比較的浅い（深さ１２ｍｍ程度）ため、ドアに確実に衝突できる高さまで緩衝体を突出できる出没自在の戸当りを床下空間に設置することができなかった。
【０００９】
本発明はかかる問題を解消するためになされたものであり、歩行や運搬物などの移動を安全に行なうことができ、しかもドアの周辺の床面の美観を向上することができ、さらに浅い床下空間でも設置可能な戸当りを提供することを目的とする。
【００１０】
【課題を解決するための手段】
本発明の戸当りは、（ａ）床面に埋設され、上面にスリットが形成されたケーシングと、
（ｂ）前記ケーシング内部に収納され、該ケーシング内部の一端に揺動自在に連結されたアームと、
（ｃ）下面が前記アームの自由端の上面に当接し、かつ前記ケーシング内部の他端に揺動自在に連結された緩衝体と、
（ｄ）磁性体からなり、前記アームの上面に固定されたプレートと、
（ｅ）前記ドアの下部に固定された磁石とからなり、
前記緩衝体の上部が、略くさび形状を呈し、当該くさび状の上部が、前記緩衝体が前記ケーシング内部に収納されているときに前記ケーシング上面とほぼ同一平面になるフタ面、および前記緩衝体が前記ケーシング内部から前記スリットを通して外部へ突出したときに前記ドアまたは磁石に接触しうる接触面を有しており、
前記プレートがほぼ水平位置にあるとき、前記緩衝体の接触面が水平面から９０°未満傾いた位置にあることを特徴としている。
【００１１】
前記ケーシング内部の深さが５〜１２ｍｍであるのが好ましい。
【００１２】
前記アームおよび緩衝体の少なくとも一部が、金属で作製されてなるのが好ましい。
【００１３】
前記緩衝体および前記ケーシング内部の他端において、それぞれ接触面が形成されてなるのが好ましい。
【００１４】
前記緩衝体の下面において、前記アームの自由端が挿入される溝が形成されてなるのが好ましい。
【００１５】
前記磁石が、下方に開放する凹部が形成されたケースと、当該ケースの内部に収納された磁石本体とからなるのが好ましい。
【００１６】
前記磁石本体が、合成樹脂製のカバーで覆われてなるのが好ましい。
【００１７】
前記磁石本体が、少なくとも一部が外部へ出没し得るように前記ケースの凹部に収納され、
前記ケースの凹部の内面に磁性体からなるストッパが設けられ、
前記磁石本体が前記ストッパに引かれる力よりも、前記磁石本体が前記プレートに引かれる力のほうが強いのが好ましい。
【００１８】
【発明の実施の形態】
つぎに図面を参照しながら本発明の戸当りを詳細に説明する。図１は本発明の戸当りの一実施の形態を示す斜視説明図、図２は図１のケーシングの断面説明図、図３は図１の緩衝体の正面図、図４は図１の緩衝体の断面説明図、図５は図１の緩衝体の平面図、図６は図１のアームおよびプレートの正面図、図７は図１のアームおよびプレートの平面図、図８は図１の磁石の断面説明図および図９〜１１は図１の戸当りの動作説明図である。
【００１９】
図１に示すように、本発明の一実施の形態にかかわる戸当りは、大きく分けて、床面に埋設される本体部分１と、ドアＤに固着される磁石２とから構成されている。本体部分１は、ケーシング３の内部の空間部９（図２参照）にアーム５、緩衝体６および磁性体からなるプレート７（図３〜７参照）が収納されたものである。
【００２０】
まず、本体部分１について図１〜７を参照しながら説明する。
【００２１】
ケーシング３は、図２に示されるように、たとえば３箇所のネジ孔１８に挿通されるネジ（図示せず）により、床に形成される凹所に固定できるようにされている。
【００２２】
ケーシング３は、床面に埋設される箱体であり、上面にスリット１０が形成され、下部のほぼ全体に開口３ａが形成され、当該開口３ａはネジなどで固着された底板４によって閉じられている。
【００２３】
ケーシング３の内部の空間部９には、アーム５および緩衝体６を揺動自在に収納し得るように、後述する突起１１、１２が底板４の上面に一体形成されている。また、スリット１０を挟んで両側の内側壁１３には、垂直方向に沿って、後述する一対の溝１４、１５、１６がそれぞれ形成されている。なお、突起１１、１２はケーシング３と一体形成することもできる。
【００２４】
また、スリット１０の開口面積は、前記緩衝体６およびプレート７が外部に露出できる程度の大きさになるようにすればよい。なお、ゴミの侵入を防ぐために、緩衝体６だけが露出し得る大きさの開口を有するカバー（図示せず）でケーシング３を覆うようにすることもできる。
【００２５】
図９に示されるように、ケーシング３の内部の空間部９の深さＡは、マンションなどの高層住宅などの浅い（深さ１２ｍｍ程度）床下空間にケーシング３を設置できるように、５〜１２ｍｍ程度に設定されるのが好ましい。
【００２６】
また、ケーシング３の上面は、磁石２と接触するばあい（たとえば、ドアの長期間の使用により、下方にずれるなど）があるため、その表面をすべりやすいように平滑に加工するとともに周縁部にアールを形成するのが好ましい。
【００２７】
アーム５は、図６〜７に示されるように、前記ケーシング３の空間部９の一端９ａ（前記ドアＤに近い方）（図２参照）に揺動自在に連結されたものである。本実施の形態では、図２および図６〜７に示されるように、アーム５の固定端５ａの両側に突出する一対の突起５ｂが形成されている。固定端５ａは、前記空間部９内部であって突起１１（図２参照）上方の隙間９ｃに配置され、一対の突起５ｂは、突起１１上面の一対の凸部１１ａに係合している。
【００２８】
さらに、アーム５の両側に突出形成された一対の突起５ｃは、前記空間部９内部の溝１４に係合しているため、突起５ｃは上下方向に案内される。
【００２９】
また、アーム５の自由端５ｄは、前記緩衝体６を下から押し上げるのに適した略くの字形状を呈している。
【００３０】
緩衝体６は、図３〜５に示されるように、ゴムまたは合成樹脂などの弾性部材からなるヘッド６ａと、ヘッド６ａと嵌合するヘッドボディー６ｂとから構成されている。
【００３１】
緩衝体６上部のヘッド６ａは、略くさび形状を呈している。くさび状のヘッド６ａは、前記緩衝体６が前記ケーシング３の空間部９に収納されているときに前記ケーシング３の上面とほぼ同一平面になるフタ面２２、および前記緩衝体６が前記ケーシング３の空間部９から外部へ突出したときに前記ドアＤまたは磁石２に接触しうる接触面２３を有している。
【００３２】
緩衝体６は、その下面６ｃが前記アーム５の自由端５ｄの上面に当接し、かつ前記ケーシング３の空間部９の他端９ｂ（前記ドアＤから遠い方）（図２参照）に揺動自在に連結されている。
【００３３】
本実施の形態では、図２および図３〜５に示されるように、緩衝体６の固定端６ｄは、前記空間部９内部であって突起１２（図２参照）の上に配置され、固定端６ｄの両側に突出形成された一対の突起６ｅは、前記空間部９内部の溝１６に係合している。また、緩衝体６の先端寄りの位置の両側に突出形成された一対の突起６ｆは、前記空間部９内部の溝１５に係合しているため、突起６ｆは上下方向に案内される。
【００３４】
図３〜５および図９〜１１に示されるように、床面から突出しうる緩衝体６のヘッド６ａがケーシング３の空間部９内では斜めに収納されるので、ドアＤに確実に衝突しうる高さＨまで緩衝体６のヘッド６ａを突出できるとともにケーシング３の空間部９の深さＡ（図９参照）を浅くすることができ、その結果、浅い床下空間への戸当りの本体部分１の設置が可能になる。
【００３５】
しかも、緩衝体６は、その下面６ｃがアーム５の自由端５ｄの上面に当接しているだけで、アーム５に対してピン結合などの拘束がないため、図１０に示されるように、アーム５によって、緩衝体６をある程度の角度まで押し上げれば、図１１に示されるように、最終的な緩衝体６の押上げをドアＤまたは磁石２によって行なうことができる。その結果、アーム５が揺動する角度の範囲が小さくなり、ケーシング３の空間部９の深さを大幅に浅くすることができる。
【００３６】
具体的には、図１０に示されるように、前記プレート７がほぼ水平位置にあるとき、前記緩衝体６の接触面２３が水平面から９０゜未満程度（好ましくは６０〜７０゜程度）傾いた位置にあるとき、ドアＤまたは磁石２によって、緩衝体６を押し上げることができる。
【００３７】
前記アーム５および緩衝体６は、合成樹脂や金属など種々の材料で作製することができる。とくに、アーム５および緩衝体６の少なくとも一部が、亜鉛ダイカストなどの金属で作製されていれば、合成樹脂などで全体を作製した場合と比較して重量が重くなるため、図１１のように外部へ突出した緩衝体６を速やかにケーシング３内部に戻すことができる。
【００３８】
また、図３〜５に示されるように、緩衝体６の固定端６ｄには円筒面状の接触面６ｇが形成され、一方、図２に示されるように、前記ケーシング３内部の空間部９の他端９ｂには、前記突起１２の滑らかな凹面状の接触面１２ａが形成されている。そのため、ドアＤまたは磁石２が緩衝体６に衝突したときに前記接触面６ｇおよび１２ａ同士（ならびに前記接触面６ｇおよびケーシング３の内側面３ｂ（図２参照）同士）が面接触することにより、緩衝体６は比較的大きな衝撃に耐えることができる。
【００３９】
さらに、図４に示されるように、前記緩衝体６の下面６ｃには、前記アーム５の自由端５ｄが挿入される溝６ｈが形成されているため、図９に示されるように、前記ケーシング３の空間部９の深さＡが実質的に緩衝体６の高さ程度あれば、緩衝体６をケーシング３の内部に完全に収納することができるようになるため、さらに戸当りの薄型化が可能になる。
【００４０】
プレート７は、図６〜７に示されるように、前記磁石２に吸引されることにより、アーム５および緩衝体６を駆動させる部材であり、鉄、スチールなどの磁性体によって作製されている。プレート７は、前記アーム５の上面にビスや接着などにより固定されている。
【００４１】
つぎに磁石２の説明をする。磁石２は、図１および図８に示されるように、下方に開放する凹部２ｅが形成されたケース２ａの内部に磁石本体２ｂが収納されたものである。ケース２ａの側面には、プレート部２ｃが形成され、プレート部２ｃの両端部にはドアＤにネジ止めするためのネジ孔２ｄが形成されている。磁石２は、ケース２ａがドア下端付近の座ぐりによって形成された穴に埋設され、プレート部２ｃは、ドアの外面に固定される。なお、磁石本体２ｂが収納されたケース２ａをドアの外面に突設するようにしてもよい。
【００４２】
磁石本体２ｂは、磁力を過度に弱めない程度の厚さの合成樹脂製のカバー２ｆで覆われているため、磁石本体２ｂが床面またはケーシング３の上面にあたったり、こすれたりして欠けたり、摩耗したりすることがない。
【００４３】
また、磁石本体２ｂは、少なくとも一部が外部へ出没し得るように、凹部２ｅとカバー２ｆとのあいだの嵌め合い寸法が設定されている。しかも、本実施の形態では、カバー２ｆから上部にのびるフック２ｇがケース２内部に形成された凹部２ｉに係合しているため、磁石本体２ｂの最大突出量を規制し、磁石本体２ｂの脱落を防止することができる。
【００４４】
さらに、図８に示されるように、ケース２ａの凹部２ｅの内面に磁性体からなるストッパ１７が設けられている。ストッパ１７は、前記プレート７よりも磁石本体２ｂに引かれる力が小さいように作製されている。
【００４５】
たとえば、ストッパ１７は、前記プレート７と同様のスチールなどの金属製の筒体などからなり、当該ストッパ１７の水平断面における断面積が前記プレート７の上面における面積よりも小さくなるように作製される。ストッパ１７は、凹部２ｅの奥端面から垂直に埋め込まれている。
【００４６】
このストッパ１７により、磁石本体２ｂは、図９に示されるようにプレート７から遠い位置にあるときには、ストッパ１７に吸着されているため、ケース２ａの内部に保護されている。一方、図１０〜１１に示されるように、磁石本体２ｂは、プレート７のほぼ上に位置するときには、ストッパ１７よりもプレート７へ引かれる力が強くなるため、磁石本体２ｂは、ケース２ａから下方へ突出してプレート７に吸着する。したがって、プレート７に対して強い吸引力を与えることができる。
【００４７】
なお、本発明では、図８に示される磁石を例にあげて説明したが、本発明はこれに限定されるものではなく、ドアの下端付近（下面など）に固定でき、本体部分１のプレート７に磁力を作用させることができるものであれば、種々のものを採用することができる。したがって、ドアの下端付近に電磁石や永久磁石などを配設してもよい。
【００４８】
つぎに図１〜８に示される本実施の形態の戸当りの動作説明を説明する。
【００４９】
図９に示されるように、まず、設置方法として、本体部分１を床面Ｆの全開位置付近に埋設し、磁石２をドアＤの下面に埋設する。このとき、緩衝体６をドアＤのほぼ全開位置に配置し、プレート７をドアＤの閉位置側に配置するようにする。
【００５０】
図９に示されるように、ドアＤが開方向に移動するあいだ、全開位置付近よりも遠いときには、磁石２とプレート７とのあいだの距離が大きいため、プレート７は吸引されず、アーム５および緩衝体６は動かない。
【００５１】
図１０に示されるように、ドアＤが全開位置付近にきたとき、磁石２とプレート７とのあいだの距離が小さくなるため、磁石本体２ｂがケース２ａから下方へ突出するとともにプレート７は磁石２（具体的には磁石本体２ｂ）に吸引され、アーム５および緩衝体６は上方に移動する。具体的には、アーム５が突起５ａまわりに上方へ揺動するにつれてアーム５の自由端５ｄによって押し上げられた緩衝体６が突起６ｅまわりに上方へ揺動する。それにより、緩衝体６のヘッド６ａは床面Ｆから上方に突出する。このとき、プレート７がほぼ水平位置になり、緩衝体６の接触面２３が垂直にならず傾いた位置にある。
【００５２】
そして、図１１に示されるように、ドアＤが全開位置に達したとき（具体的には磁石２がヘッド６ａに衝突したとき）、磁石２が緩衝体６をさらに押し上げ、最終的に磁石２と接触面２３とが面接触する。磁石本体２ｂはプレート７に吸着されているため、ドアＤは全開状態でロックされる。
【００５３】
反対に、ドアＤを全開状態から閉じたいときには、前記磁石本体２ｂとプレート７とのあいだの吸引力に抗して少し強めにドアＤを閉方向に移動させれば、容易にロックを解除してドアＤを閉めることができる。そして、ドアＤが図９に示される位置付近まで戻れば、プレート７に対する吸引力は弱まり、緩衝体６のヘッド６ａは自重落下によりケーシング３に収納される。一方、磁石本体２ｂは、再び前記ストッパ１７に吸着することによりケース２ａ内部に収納される。
【００５４】
【発明の効果】
以上説明したとおり、本発明によれば、床面下に埋設し、緩衝体をケーシング内から突出させたり、ケーシング内に収納させたりすることができる。その結果、使用しないばあいには、床面とほぼ面一にできるため、歩行やキャビネットなど運搬物の移動を安定に行なうことができる。
【００５５】
また、ドアを全開にしていないときには、緩衝体は本体部分に収納されているため、ドア周辺の床面は平坦であり、美観を向上することができる。しかも、床面のフラット感を生かした玄関周りのエクステリア設計が可能になる。
【００５６】
さらに、緩衝体が揺動しながら出没する構成であるため、本体部分を薄く作製することができ、その結果、本体部分を浅い床下空間へ設置することが可能になる。
【００５７】
しかも、緩衝体の最終的な押上げをドアまたは磁石が接触して行なうことにより、アームの揺動角度が小さくてすみ、戸当りをさらに薄く作製することができる。
【図面の簡単な説明】
【図１】本発明の戸当りの一実施の形態を示す斜視説明図である。
【図２】図１のケーシングの断面説明図である。
【図３】図１の緩衝体の正面図である。
【図４】図１の緩衝体の断面説明図である。
【図５】図１の緩衝体の平面図である。
【図６】図１のアームおよびプレートの正面図である。
【図７】図１のアームおよびプレートの平面図である。
【図８】図１の磁石の断面説明図である。
【図９】図１の戸当りの動作説明図である。
【図１０】図１の戸当りの動作説明図である。
【図１１】図１の戸当りの動作説明図である。
【図１２】従来のドアの固定状態を示す説明図である。
【図１３】従来の戸当りを示す説明図である。
【符号の説明】
１  本体部分
２  磁石
３  ケーシング
４  カバー
５  アーム
６  緩衝体
７  プレート
１０  スリット
【図１】
0003887105.tif 000002
【図２】
0003887105.tif 000003
【図３】
0003887105.tif 000004
【図４】
0003887105.tif 000005
【図５】
0003887105.tif 000006
【図６】
0003887105.tif 000007
【図７】
0003887105.tif 000008
【図８】
0003887105.tif 000009
【図９】
0003887105.tif 000010
【図１０】
0003887105.tif 000011
【図１１】
0003887105.tif 000012
【図１２】
0003887105.tif 000013
【図１３】
0003887105.tif 000014